(57)【要約】【課題】貯留タンク排水弁開弁直後のオーバーフロー管からの逆流を防ぎ、貯留タンク内での飛び散りや騒音が発生しない貯留タンク用排水弁を提供する。【解決手段】洗浄水貯留タンクの底部に設けた排水口を開閉する排水弁において、前記排水口と対向した位置に流出開口部を有するオーバーフロー管と、前記排水弁が開弁したときに前記オーバーフロー管内に逆流する洗浄水の水勢を低減するための水勢低減部材を備えたことを特徴とする。そうすることにより、排水弁開弁直後に洗浄水の一部がオーバーフロー管の内部通路を鉛直方向上方へ逆流しようとしても、水勢低減部材により逆流が防止され、貯留タンク内への飛び散りやそれに伴う騒音発生を防止することができる。【選択図】　図１
2004116094.tif 000002
【特許請求の範囲】
【請求項１】
洗浄水貯留タンクの底部に設けた排水口を開閉する排水弁において、前記排水口と対向した位置に流出開口部を有するオーバーフロー管と、前記排水弁が開弁したときに前記オーバーフロー管内に逆流する洗浄水の水勢を低減するための水勢低減部材と、を備えたことを特徴とする排水弁。
【発明の詳細な説明】
【０００１】
【発明の属する技術分野】
本発明は、洗浄水貯留タンクの底部に設けた排水口を開閉する排水弁に関する。
【０００２】
【従来の技術】
従来、この種の排水弁として図３に示すものがある。（例えば、特許文献１）排水弁１３は、貯留タンク内の水位異常時にロータンク外へ水を排出するための筒状のオーバーフロー管１４と、貯留タンク底部の排水口をシールするためのゴムなどの弾性体１５と、操作部１６により開弁したあと排水弁を開弁保持するためのフロート１７と、フロート１７に浮力を与えるための水を溜める制御筒１８とから成る。
【０００３】
【特許文献１】
特開平８−３１９６４４号。
【０００４】
【発明が解決しようとする課題】
図４に従来例の排水弁開弁直後の状態を示している。排水弁１３は、操作部１６を回転動作させることにより鉛直上方へ引き上げられる。貯留タンク内の洗浄水は、排水弁１３が開弁したと同時に貯留タンク下部の通路内へ排出するが、貯留タンク下部の通路内圧が急激に上昇することにより洗浄水の一部がオーバーフロー管１４の内部通路を逆流し、貯留タンク内に飛び散り貯水タンク内への衝突などによる騒音を発するという問題があった。
【０００５】
そこで、本発明は貯留タンク排水弁開弁直後のオーバーフロー管からの逆流を防ぎ、貯留タンク内での飛び散りや騒音が発生しない貯留タンク用排水弁を提供することを目的とする。
【０００６】
【課題を解決するための手段および作用・効果】
上記課題を解決するために、本発明は、洗浄水貯留タンクの底部に設けた排水口を開閉する排水弁において、前記排水口と対向した位置に流出開口部を有するオーバーフロー管と、前記排水弁が開弁したときに前記オーバーフロー管内に逆流する洗浄水の水勢を低減するための水勢低減部材を備えたことを特徴とする。
そうすることにより、排水弁開弁直後に洗浄水の一部がオーバーフロー管の内部通路を鉛直方向上方へ逆流しようとしても、水勢低減部材により逆流が防止され、貯留タンク内への飛び散りやそれに伴う騒音発生を防止することができる。
【０００７】
【発明の実施の形態】
以下、本発明の排水弁を図面に基づいて説明する。図１は本発明の一実施例の排水弁開弁直後の状態を示す断面図である。この排水弁１は、ＡＢＳ樹脂などの合成樹脂で成型されており、その下部には貯留タンク６に洗浄水を貯水する際に排水口７をシールするためにゴムなどの弾性体２を備えている。排水弁１には例えば貯水タンク内への給水部の止水不良により貯留タンク内の水位が異常に上昇した際、貯留タンク外へ貯留タンク内の余剰な洗浄水を排出するための筒状のオーバーフロー管３が排水口７対向した位置に流出開口部を有するように鉛直方向にＡＢＳ樹脂などの合成樹脂で成型されており、その下部には、オーバーフロー管３の内通路鉛直方向投影面積がなくなるように水勢低減部材４が設けられている。この水勢低減部材４は、オーバーフロー管３と一体的にＡＢＳ樹脂などの合成樹脂で成型されることが望ましいが、別部品としてオーバーフロー管３に固定されていてもよい。
【０００８】
操作部５を回転動作させることでオーバーフロー管３は鉛直上方へ移動する。オーバーフロー管３の下部に設けられた弾性体２が貯水タンク６の底部に設けられた排水口７から離れ排水弁１が開弁すると、貯留タンク６から貯留タンク６下部の通路へ貯留タンク内の水がその水頭圧により供給される。このとき、貯留タンク下部の通路内圧が急激に上昇し、洗浄水の一部がオーバーフロー管３の内部通路を瞬間的に逆流しようとする。しかし、オーバーフロー管３の内通路鉛直方向投影面積をなくすように設けられた水勢低減部材４に遮られその水勢が弱められることで鉛直方向上向きに逆流することがほとんどなくなる。すなわち、貯水タンク内の洗浄水がオーバーフロー管３の内部を通過し貯留タンク内へ洗浄水が飛び散ることを防止できるとともに、それに伴う貯留タンク内への洗浄水の衝突音などの騒音を防止することができる。
【０００９】
図２（ａ）は本発明の別の実施例の水勢低減部材の断面を示している。水勢低減部材８は、例えばＡＢＳ樹脂などでオーバーフロー管３の下部にオーバーフロー管３と一体的に成型形成されている。オーバーフロー管３の内部通路１２は円形状をしている。水勢低減部材８は、オーバーフロー管３の内部通路１２側に突出している突起部９と突起部１０で構成され、オーバーフロー管３下部で上下方向にオフセットしている。また、突起部９と突起部１０は、図２（ｂ）に示すようにＰ視の状態で、オーバーフロー管３の内部通路１２を閉塞するように形成しているが、上述したように上下方向にオフセットしているのでオーバーフロー管３内の通水路は矢印１１のように確保されている。図１の一実施例と同様に排水弁の開弁直後に貯水タンク内の洗浄水がオーバーフロー管３の内部通路１２を鉛直上方向に逆流しようとしても、水勢低減部材の突起部９と突起部１０が鉛直方向投影面積を閉塞するように構成しているため、排水弁３の開弁直後にオーバーフロー管３の内部通路１２内に入ろうとする洗浄水は水勢低減部材８の突起部９と突起部１０に遮られ水勢が弱められることで洗浄水がオーバーフロー管３の内部通路１２を通り貯水タンク内に逆流することはできない。すなわち、排水弁動作直後のオーバーフロー管内部からロータンク内への洗浄水の飛び散りを防止することができるとともに、それに伴うロータンク内への洗浄水の衝突音などの騒音を防止することができる。
【００１０】
なお、水勢低減部材としては排水弁の開弁直後にオーバーフロー管の内部通路内に入ろうとする洗浄水の水勢を弱める構成であればよく、上記の実施例に限定されない。
【図面の簡単な説明】
【図１】（ａ）本発明の一実施例の排水弁を示す断面図
（ｂ）本発明の一実施例排水弁水勢低減部材の外観図
【図２】（ａ）本発明の別の実施例排水弁水勢低減部材の断面図
（ｂ）本発明の別の実施例排水弁水勢低減部材の矢視図
【図３】従来の排水弁の断面図
【図４】従来の排水弁の動作直後の断面図
【符号の説明】
１、１３…排水弁
２、１５…弾性体
３、１４…オーバーフロー管
４、　８…水勢低減部材
５、１６…操作部
６…貯留タンク
７…排水口
９、１０…突起部
１１…矢印
１２…内部通路
１７…フロート
１８…制御筒
【図１】
2004116094.tif 000003
【図２】
2004116094.tif 000004
【図３】
2004116094.tif 000005
【図４】
2004116094.tif 000006